(57)【要約】  無線通信システムにおけるユーザ装置であって、当該ユーザ装置の移動速度を測定する速度測定部と、セル検出を行う際又はセルの受信品質の測定を行う際に許容される測定条件であってユーザ装置の移動速度に応じて定められる測定条件と、前記速度測定部により測定された当該ユーザ装置の移動速度とに基づいて、測定された当該ユーザ装置の移動速度に該当する測定条件に従ってセル検出又はセルの受信品質の測定を行う品質測定部と、を有するユーザ装置を提供する。
2017077820.tif 000002
【特許請求の範囲】
【請求項１】
無線通信システムにおけるユーザ装置であって、
当該ユーザ装置の移動速度を測定する速度測定部と、
セル検出を行う際又はセルの受信品質の測定を行う際に許容される測定条件であってユーザ装置の移動速度に応じて定められる測定条件と、前記速度測定部により測定された当該ユーザ装置の移動速度とに基づいて、測定された当該ユーザ装置の移動速度に該当する測定条件に従ってセル検出又はセルの受信品質の測定を行う品質測定部と、
を有するユーザ装置。
【請求項２】
前記速度測定部は、当該ユーザ装置の移動速度を移動速度判定時間内で測定し、
前記品質測定部は、当該ユーザ装置の移動速度が変化した場合に、更新可能期間が経過してから測定条件の変更を行う、
請求項１に記載のユーザ装置。
【請求項３】
前記測定条件と前記移動速度判定時間と前記更新可能期間とを含む設定情報を、基地局から取得する取得部、
を有する請求項２に記載のユーザ装置。
【請求項４】
前記測定条件は、測定対象であるセルの周波数ごとに規定されている、請求項１乃至３のいずれか一項に記載のユーザ装置。
【請求項５】
前記測定条件は、キャリアアグリゲーションにおける、アクティブ状態であるセカンダリセルに対して適用される、請求項１乃至４のいずれか一項に記載のユーザ装置。
【請求項６】
無線通信システムにおける基地局であって、
セル検出を行う際又はセルの受信品質の測定を行う際に許容される測定条件であってユーザ装置の移動速度に応じて定められる測定条件を含む設定情報を生成する生成部と、
前記設定情報をユーザ装置に送信する送信部と、
を有する基地局。
【請求項７】
無線通信システムにおけるユーザ装置が実行する測定方法であって、
当該ユーザ装置の移動速度を測定するステップと、
セル検出を行う際又はセルの受信品質の測定を行う際に許容される測定条件であってユーザ装置の移動速度に応じて定められる測定条件と、測定された当該ユーザ装置の移動速度とに基づいて、測定された当該ユーザ装置の移動速度に該当する測定条件に従ってセル検出又はセルの受信品質の測定を行うステップと、
を有する測定方法。
【請求項８】
無線通信システムにおける基地局が実行する測定条件通知方法であって、
セル検出を行う際又はセルの受信品質の測定を行う際に許容される測定条件であってユーザ装置の移動速度に応じて定められる測定条件を含む設定情報を生成するステップと、
前記設定情報をユーザ装置に送信するステップと、
を有する測定条件通知方法。
【発明の詳細な説明】
【技術分野】
【０００１】
本発明は、ユーザ装置、基地局、測定方法及び測定条件通知方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置に対して、接続性を担保する信頼性の高いセルであるＰＣｅｌｌ（Ｐｒｉｍａｒｙ  Ｃｅｌｌ：プライマリセル）及び付随的なセルであるＳＣｅｌｌ（Ｓｅｃｏｎｄａｒｙ  Ｃｅｌｌ：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置に対して設定された直後は、非アクティブ状態（ｄｅａｃｔｉｖａｔｅ状態）であるため、アクティブ化することで初めて通信可能（スケジューリング可能）となるセルである。
【先行技術文献】
【非特許文献】
【０００５】
【非特許文献１】３ＧＰＰ  ＴＳ３６．３３１  Ｖ１２．７．０（２０１５−０９）
【非特許文献２】３ＧＰＰ  ＴＳ３６．１３３  Ｖ１３．０．０（２０１５−０７）
【発明の概要】
【発明が解決しようとする課題】
【０００６】
ユーザ装置は、ＲＲＣシグナリングで通知される測定オブジェクト（Measurement objects）で指示された周波数のセルに対して受信品質の測定を行い、所定のタイミングで基地局ｅＮＢに報告している。
【０００７】
図１、図２を参照して、非特許文献２に規定されている、ＣＡ状態のユーザ装置が受信品質の測定を行う際の測定条件を説明する。図１において、「Ｃｅｌｌ  ｉｄｅｎｔｉｆｉｃａｔｉｏｎ」は、サービングセル以外のセル（例えば隣接セル）を検出する際に許容される時間を意味している。「ＲＳＲＰ／ＲＳＲＱ  ｍｅａｓｕｒｅｍｅｎｔ」は、サービングセル又は検出された当該セルにおけるＲＳＲＰ（Reference Signal Receiving Power）又はＲＳＲＱ（Reference Signal Receiving Quality）の測定に許容される時間を意味している。図１の「上記以外」とは、ＰＣｅｌｌ及びＳＣｅｌｌとは異なる周波数（Inter-frequency）である他のセルの検出及び／又は品質測定を行う際の測定条件を意味している。
【０００８】
なお、非特許文献２には、ＣＡ状態ではないユーザ装置がセルの検出及び／又は品質測定を行う際の測定条件についても同様の測定条件が規定されている。サービングセルと同一の周波数（Intra-frequency）のセルに対する測定条件は、図１の「ＰＣｅｌｌの周波数」と同一であり、サービングセル以外の周波数（Inter-frequency）のセルに対する測定条件は、図１の「上記以外」の測定条件と同一である。
【０００９】
図２は、非アクティブ状態のＳＣｅｌｌ（Deactivated SCell）の周波数に係る測定条件の詳細を示している。非アクティブ状態のＳＣｅｌｌの場合、ＲＲＣメッセージで基地局からユーザ装置に通知される「ｍｅａｓＣｙｃｌｅＳＣｅｌｌ」の設定値に対応して測定条件が一意に定められる。より具体的には、「Ｃｅｌｌ  ｉｄｅｎｔｉｆｉｃａｔｉｏｎ」は「ｍｅａｓＣｙｃｌｅＳＣｅｌｌ」×２０であり、「ＲＳＲＰ／ＲＳＲＱ  ｍｅａｓｕｒｅｍｅｎｔ」は「ｍｅａｓＣｙｃｌｅＳＣｅｌｌ」×５である。つまり、図１の「Ｄｅａｃｔｉｖａｔｅｄ  ＳＣｅｌｌの周波数」に係る時間は、「ｍｅａｓＣｙｃｌｅＳＣｅｌｌ」が１２８０ｍｓの場合の時間を示している。
【００１０】
図３Ａ及び図３Ｂは、Ｉｎｔｒａ−ｆｒｅｑｕｅｎｃｙ及びＩｎｔｅｒ−ｆｒｅｑｕｅｎｃｙの定義を示している。図３Ａに示すように、ユーザ装置がＣｅｌｌ１及びＣｅｌｌ２を用いてＣＡを行っている場合、Ｃｅｌｌ３及びＣｅｌｌ４を含むＦ３については、「Ｉｎｔｅｒ−ｆｒｅｑｕｅｎｃｙ」に該当する。つまり、図３Ａの状態でユーザ装置がＣｅｌｌ３及びＣｅｌｌ４の品質測定を行う場合、図１の「上記以外」に係る測定条件が適用される。
【００１１】
一方、図３Ｂに示すように、ＣＡにＣｅｌｌ３が追加された場合、Ｃｅｌｌ３及びＣｅｌｌ４を含む周波数Ｆ３については、「Ｉｎｔｒａ−ｆｒｅｑｕｅｎｃｙ」に該当することになる。つまり、図３Ｂの状態でユーザ装置がＣｅｌｌ３及びＣｅｌｌ４の品質測定を行う場合、図１の「Ａｃｔｉｖａｔｅｄ  ＳＣｅｌｌの周波数」又は「Ｄｅａｃｔｉｖａｔｅｄ  ＳＣｅｌｌの周波数」のいずれかに係る測定条件が適用される。
【００１２】
ここで、ユーザ装置が低速で移動している場合（又は停止している場合）、各セルにおける受信品質の変動も遅くなる（又は受信品質が殆ど変動しない）と考えられる。従って、ユーザ装置が低速で移動している場合（又は停止している場合）、上述の測定条件を緩和したとしても、通信品質に与える影響は小さいと考えられる。また、測定条件が緩和された場合、ユーザ装置の消費電力が削減されるというメリットがある。つまり、ユーザ装置が低速で移動している場合（又は停止している場合）、測定条件を緩和することで、ユーザ装置の消費電力を削減することができる。
【００１３】
Ｒｅｌ．１２までのＬＴＥの仕様では、ユーザ装置あたりＣｏｎｆｉｇｕｒｅ可能なＣＣの数は、最大で５である。一方、Ｒｅｌ．１３のＬＴＥでは、最大で３２ＣＣをＣｏｎｆｉｇｕｒｅ可能なＣＡが検討されている。ユーザ装置はＣｏｎｆｉｇｕｒｅされたＣＣの周波数はＩｎｔｒａ−ｆｒｅｑｕｅｎｃｙとして測定する必要があるため、Ｃｏｎｆｉｇｕｒｅ可能なＣＣ数が増加することで、品質測定に要する消費電力も増加するため、測定条件が緩和されることによる消費電力の削減効果も大きくなる。
【００１４】
一方、ユーザ装置が高速で移動している場合、各セルにおける受信品質の変動も大きくなると考えられる。従って、ユーザ装置が高速で移動している場合、上述の測定条件を厳しくすることにより、通信品質を向上させることが可能になると考えられる。
【００１５】
上記の効果は、キャリアアグリゲーションを行わない通信でも同様に得られると考えられる。
【００１６】
開示の技術は上記に鑑みてなされたもので、ユーザ装置の移動速度に応じて、セル検出及び受信品質測定の測定条件を変更することを可能にする技術を提供することを目的とする。
【課題を解決するための手段】
【００１７】
開示の技術のユーザ装置は、無線通信システムにおけるユーザ装置であって、当該ユーザ装置の移動速度を測定する速度測定部と、セル検出を行う際又はセルの受信品質の測定を行う際に許容される測定条件であってユーザ装置の移動速度に応じて定められる測定条件と、前記速度測定部により測定された当該ユーザ装置の移動速度とに基づいて、測定された当該ユーザ装置の移動速度に該当する測定条件に従ってセル検出又はセルの受信品質の測定を行う品質測定部と、を有する。
【００１８】
また、開示の技術の基地局は、無線通信システムにおける基地局であって、セル検出を行う際又はセルの受信品質の測定を行う際に許容される測定条件であってユーザ装置の移動速度に応じて定められる測定条件を含む設定情報を生成する生成部と、前記設定情報をユーザ装置に送信する送信部と、を有する。
【発明の効果】
【００１９】
開示の技術によれば、ユーザ装置の移動速度に応じて、セル検出及び受信品質測定の測定条件を変更することを可能にする技術が提供される。
【図面の簡単な説明】
【００２０】
【図１】品質測定を行う際の測定条件を説明するための図である。
【図２】品質測定を行う際の測定条件を説明するための図である。
【図３Ａ】品質測定を行う際の測定条件を説明するための図である。
【図３Ｂ】品質測定を行う際の測定条件を説明するための図である。
【図４】本実施の形態に係る無線通信システムの構成を示す図である。
【図５】本実施の形態に係る無線通信システムの動作を示すシーケンス図である。
【図６】設定情報の一例を示す図である。
【図７】第一の実施の形態に係るＲＲＣメッセージの例を示す図である。
【図８Ａ】第一の実施の形態に係るＲＲＣメッセージの例を示す図である。
【図８Ｂ】第一の実施の形態に係るＲＲＣメッセージの例を示す図である。
【図９】第一の実施の形態に係るＲＲＣメッセージの例を示す図である。
【図１０Ａ】第一の実施の形態に係るＲＲＣメッセージの例を示す図である。
【図１０Ｂ】第一の実施の形態に係るＲＲＣメッセージの例を示す図である。
【図１１】本実施の形態に係る基地局の機能構成例を示す図である。
【図１２】本実施の形態に係るユーザ装置の機能構成例を示す図である。
【図１３】本実施の形態に係る基地局のハードウェア構成例を示す図である。
【図１４】本実施の形態に係るユーザ装置のハードウェア構成例を示す図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の無線通信システムは、ＬＴＥ−Ａｄｖａｎｃｅｄを含むＬＴＥに対応していることを想定しているが、本発明はＬＴＥに限らず、ＣＡを行う他の方式にも適用可能である。また、本発明は第５世代（５Ｇ）と呼ばれる無線通信システムにも適用可能である。
【００２２】
本発明は、ＣＡを用いた通信及びＣＡを用いない通信のいずれにも適用可能である。また、本実施の形態におけるＣＡは、Ｉｎｔｒａ−ｅＮＢ  ＣＡのみならず、ＤＣ（Dual Connectivity）のようなＩｎｔｅｒ−ｅＮＢ  ＣＡも含む。また、本発明を、ＣＡを用いた通信に適用する場合、Ｉｎｔｅｒ−ｂａｎｄ  ＣＡ、Ｉｎｔｒａ−ｂａｎｄ  ｎｏｎ−ｃｏｎｔｉｇｕｏｕｓ  ＣＡ、及びＩｎｔｒａ−ｂａｎｄ  ｃｏｎｔｉｇｕｏｕｓ  ＣＡのいずれにも適用可能である。
【００２３】
以下の説明において「測定条件」とは、特に断りがない限り、「セル検出に許容される時間」、及び／又は、「セルの受信品質の測定に許容される時間」を含む意味で使用する。また「セルの受信品質の測定」とは、特に断りが無い限り、「サービングセルの受信品質の測定」及び／又は「サービングセル以外のセルの検出及び当該検出したセルの受信品質の測定」を含む意味で使用する。
【００２４】
＜システム構成、動作概要＞
図４は、本実施の形態に係る無線通信システムの構成を示す図である。本実施の形態に係る無線通信システムは、ＬＴＥ方式の無線通信システムであり、図４に示すように、ユーザ装置ＵＥ、及び基地局ｅＮＢを含む。基地局ｅＮＢは、例えば遠隔にＲＲＥ（遠隔無線装置）を接続しており、スモールセルとマクロセルを形成可能である。ユーザ装置ＵＥ、及び基地局ｅＮＢは、ＣＡを行うことが可能である。図４には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Dual Connectivity）を備えていてもよい。
【００２５】
図５は、本実施の形態に係る無線通信システムの動作を示すシーケンス図である。図５を参照して図４に示す無線通信システムの基本的な動作を説明する。
【００２６】
ステップＳ１１で、基地局ｅＮＢは、ユーザ装置ＵＥに受信品質を測定させる周波数等を示す測定オブジェクト（Measurement objects）及び／又は、測定結果を報告させるタイミング等を示す報告設定（Reporting configuration）などを含む測定設定ＩＥ（MeasConfigIE）をユーザ装置ＵＥに送信する。
【００２７】
ステップＳ１２で、ユーザ装置ＵＥは、自身の移動速度を測定し、設定されている測定条件を、自身の移動速度に応じて定められる測定条件に設定（変更）する。
【００２８】
なお、ユーザ装置ＵＥの移動速度に応じて定められる測定条件を示す情報（以下、「設定情報」と呼ぶ）は、後述する第一の実施の形態で説明するように、ステップＳ１１の処理手順で基地局ｅＮＢから通知される測定設定ＩＥ内に含まれていてもよいし、報知情報（ＳＩＢ）により基地局ｅＮＢからユーザ装置ＵＥに通知されてもよい。また、後述する第二の実施の形態で説明するように、「設定情報」は予めユーザ装置ＵＥ内に保持されていてもよい。
【００２９】
ステップＳ１３で、ユーザ装置ＵＥは、ステップＳ１２で設定（変更）された測定条件に従って、測定オブジェクトで指示された周波数のセルの受信品質の測定を行う。
【００３０】
ステップＳ１４で、ユーザ装置ＵＥは、基地局ｅＮＢから予め指定されるタイミングで品質測定結果を基地局ｅＮＢに送信する。なお、ステップＳ１４の処理手順は、現状のＬＴＥで規定されているＲＲＣのＭｅａｓｕｒｅｍｅｎｔＲｅｐｏｒｔメッセージの送信手順に該当する。基地局ｅＮＢから予め指定されるタイミングとして、Ｅｖｅｎｔ  Ａ１〜Ａ６、Ｂ１、Ｂ２、Ｃ１、Ｃ２が規定されている。例えば、Ｅｖｅｎｔ  Ａ１は、サービングセルの受信品質が所定の閾値を超えた場合である。Ｅｖｅｎｔ  Ａ２は、サービングセルの受信品質が所定の閾値未満になった場合である。Ｅｖｅｎｔ  Ａ６は、隣接セルの受信品質が、ＳＣｅｌｌの受信品質に所定のオフセットを加えた値を超えた場合である。
【００３１】
ユーザ装置ＵＥは、ステップＳ１２〜ステップＳ１４の処理手順を繰り返し行うことで、自身の移動速度に応じて測定条件を変更しつつ、セルの受信品質の測定を行う。
【００３２】
＜処理手順＞
続いて、本実施の形態に係るユーザ装置ＵＥ及び基地局ｅＮＢが行う処理手順の詳細を、第一の実施の形態と第二の実施の形態に分けて具体的に説明する。なお、本実施の形態に係るユーザ装置ＵＥは、第一の実施の形態に係る方式と第二の実施の形態に係る方式の機能を備え、いずれの方式で送信を行うかを、例えばｅＮＢからの設定情報（configuration information）により決定するようにしてもよい。ただし、これは例であり、ユーザ装置ＵＥは、第一の実施の形態に係る方式と第二の実施の形態に係る方式のうちいずれか１つのみの方式に対応していてもよい。
【００３３】
（第一の実施の形態）
第一の実施の形態では、基地局ｅＮＢは、ユーザ装置ＵＥに対して、「設定情報」を、ＲＲＣメッセージ又は報知情報（ＳＩＢ）を用いて送信する。
【００３４】
図６は、設定情報の一例を示す図である。図６に示すように、設定情報には、「速度範囲切替え閾値」と「測定条件」とが対応づけられて設定される。「速度範囲切替え閾値」は、ユーザ装置ＵＥの移動速度の範囲を示すパラメータである。「測定条件」には、速度範囲切替え閾値により決定される範囲の速度で移動しているユーザ装置ＵＥに許容される測定条件（セル検出の測定条件、及び受信品質測定の測定条件）が設定される。なお、セル検出の測定条件とは、図１で説明した「Ｃｅｌｌ  ｉｄｅｎｔｉｆｉｃａｔｉｏｎ」と同義である。受信品質測定の測定条件とは、図１で説明した「ＲＳＲＰ／ＲＳＲＱ  ｍｅａｓｕｒｅｍｅｎｔ」と同義である。「速度範囲切替え閾値」を用いた速度範囲の指定方法はあくまで一例であり、これに限られない。例えば、閾値に代えて、具体的な速度範囲が設定されてもよい。
【００３５】
図６の例では、時速３０ｋｍ未満で移動しているユーザ装置ＵＥに対して許容される測定条件は、セル検出に許容される時間＝６４００ｍｓであり、受信品質の測定に許容される時間＝１６００ｍｓである。また、時速３０ｋｍ以上で移動しているユーザ装置ＵＥに対して許容される測定条件は、セル検出に許容される時間＝８００ｍｓであり、受信品質の測定に許容される時間＝２００ｍｓである。
【００３６】
図６の例では、「速度範囲切替え閾値」及び「測定条件」のペアが２つ設定されているが、３つ以上設定されていてもよい。より詳細に測定条件を切替えることが可能になる。
【００３７】
設定情報には、「速度範囲切替え閾値」と「測定条件」のみが設定されていてもよいし、更に、「移動速度判定時間」及び「更新可能期間」が設定されていてもよい。「移動速度判定時間」は、ユーザ装置ＵＥが自身の移動速度を判定するための時間を示す。ユーザ装置ＵＥは、自身の移動速度を測定する際、「移動速度判定時間」で設定された時間内における移動速度の平均値を、自身の移動速度であると判定するようにする。図６の例では、ユーザ装置ＵＥは、自身の移動速度を３０秒間継続して測定し、その平均値を自身の移動速度であると判定する。「更新可能期間」は、ユーザ装置ＵＥが測定条件を設定した後、次に測定条件の変更が可能になるまでの時間を示す。図６の例では、ユーザ装置ＵＥは、一旦自身の移動速度の判定を行って測定条件を設定した後、その後１２０秒経過するまでは測定条件を変更することができないことを示している。設定情報に「移動速度判定時間」及び「更新可能期間」が設定されていることで、基地局ｅＮＢは、ユーザ装置ＵＥの動作を様々に変更することが可能になる。また、ユーザ装置ＵＥの移動速度の変動が大きい場合に、測定条件が短時間の間に頻繁に変更されてしまう可能性を抑止できる。
【００３８】
［補足事項］
「測定条件」には、具体的な設定値が設定されるのではなく、設定値を示すインデックスが設定されるようにしてもよい。例えば、具体的な設定値とインデックスとの組み合わせを予め複数規定しておき、「測定条件」にはインデックスのみが設定されるようにしてもよい。
【００３９】
本実施の形態では、「設定情報」を測定対象の周波数ごとに設定するようにしてもよい。例えば、基地局ｅＮＢは、ＲＲＣメッセージ（RRCConnectionReconfiguration）を用いてユーザ装置ＵＥに測定設定ＩＥ（MeasConfigIE）を送信する際、当該測定設定ＩＥに含まれる測定オブジェクト（MeasObjectEUTRA）に、「設定情報」を測定対象の周波数と対応づけて設定するようにしてもよい。
【００４０】
また、本実施の形態では、「設定情報」を測定対象の周波数に関わらずに一律に設定するようにしてもよい。例えば、基地局ｅＮＢは、ＲＲＣメッセージ（RRCConnectionReconfiguration）を用いてユーザ装置ＵＥに測定設定ＩＥ（MeasConfigIE）を送信する際、測定設定ＩＥに「設定情報」を設定することで、全ての測定オブジェクトに対して共通に「設定情報」が適用されるようにしてもよい。
【００４１】
また、基地局ｅＮＢは「設定情報」を報知情報に含めて送信するようにしてもよい。セル内のユーザ装置ＵＥに対して、共通に「設定情報」を設定することができる。
【００４２】
また、本実施の形態では、「設定情報」で指定される測定条件が適用される周波数を限定するようにしてもよい。例えば、「設定情報」で指定される測定条件を、ＣＡにおいてアクティブ化されているＳＣｅｌｌの周波数における品質測定時のみに適用されるようにしてもよい。この場合、例えば、ユーザ装置ＵＥの移動速度が低速である場合に測定条件が緩和されるように設定しておくことで、多数のＣＣを束ねる場合にユーザ装置ＵＥの消費電力を削減することができる。
【００４３】
また、例えば、「設定情報」で指定される測定条件を、ＰＣｅｌｌ（ＤＣにおけるＰＳＣｅｌｌを含む）及びアクティブ化されているＳＣｅｌｌの周波数における品質測定時のみに適用されるようにしてもよい。
【００４４】
また、ユーザ装置ＵＥは、基地局ｅＮＢから「設定情報」が受信出来ない場合（又は受信していない場合）、従来の測定条件（図１及び図２で説明した測定条件）に従って動作するようにしてもよい。また、基地局ｅＮＢから「設定情報」が受信出来ない場合に備えて、ＳＩＭ等を用いてユーザ装置ＵＥに「設定情報」の初期値を事前設定「Ｐｒｅ−ｃｏｎｆｉｇｕｒｅ」しておくようにしてもよい。また、「設定情報」の初期値は、ユーザ装置ＵＥ自身を動作させるプログラム等に予め組み込まれていてもよい。
【００４５】
［標準規格仕様書変更例（その１）］
図７、図８Ａ及び図８Ｂの例は、「設定情報」を測定対象の周波数ごとに設定すると共に、「設定情報」で指定される測定条件を、ＣＡにおけるＳＣｅｌｌの周波数における品質測定時のみに適用する場合の標準規格仕様書変更例を示している。
【００４６】
図７は、測定オブジェクト（MeasObjectEUTRA）に、本実施の形態における「設定情報」に対応する情報要素（ＩＥ）を新たに追加した場合の変更例を示している。図７において下線を引いた部分が新たに追加される情報要素である。また、図８Ａ及び図８Ｂは、図７で追加される情報要素について、更に詳細な情報要素を示している。
【００４７】
図８Ａの「ｔ−ＭｅｄｉｕｍＳｐｅｅｄ−ｒ１３」及び「ｔ−ＨｉｇｈＳｐｅｅｄ−ｒ１３」は、図６の「速度範囲切替え閾値」に相当する。図８Ａの「ｔ−Ｅｖａｌｕａｔｉｏｎ」は、図６の「移動速度判定時間」に相当する。図８Ａの「ｔ−ＨｙｓｔＮｏｒｍａｌ」は、図６の「更新可能期間」に相当する。
【００４８】
図８Ｂの「ＳｐｅｅｄＳｔａｔｅＳｃａｌｅＭｅａｓＣｙｃｌｅ−ｒ１３」は、図６の「測定条件」に相当する。図８Ｂの例では、３種類の測定条件「ｍｅａｓＣｙｃｌｅ−Ｎｏｒｍａｌ」、「ｍｅａｓＣｙｃｌｅ−Ｍｅｄｉｕｍ」及び「ｍｅａｓＣｙｃｌｅ−Ｈｉｇｈ」が設定されている。
【００４９】
「ｍｅａｓＣｙｃｌｅ−Ｎｏｒｍａｌ」は、ユーザ装置ＵＥの移動速度が図８Ａの「ｔ−ＭｅｄｉｕｍＳｐｅｅｄ−ｒ１３」未満である場合に適用される測定条件である。
【００５０】
「ｍｅａｓＣｙｃｌｅ−Ｍｅｄｉｕｍ」は、ユーザ装置ＵＥの移動速度が図８Ａの「ｔ−ＭｅｄｉｕｍＳｐｅｅｄ−ｒ１３」以上、かつ「ｔ−ＨｉｇｈＳｐｅｅｄ−ｒ１３」未満である場合に適用される測定条件である。
【００５１】
「ｍｅａｓＣｙｃｌｅ−Ｈｉｇｈ」は、ユーザ装置ＵＥの移動速度が図８Ａの「ｔ−ＨｉｇｈＳｐｅｅｄ−ｒ１３」以上である場合に適用される測定条件である。
【００５２】
［標準規格仕様書変更例（その２）］
図９、図１０Ａ及び図１０Ｂの例は、「設定情報」を測定対象の周波数に関わらずに一律に設定すると共に、「設定情報」で指定される測定条件を、ＣＡにおけるＳＣｅｌｌの周波数における品質測定時のみに適用する場合の標準規格仕様書変更例を示している。
【００５３】
図９は、測定設定ＩＥ（MeasConfigIE）に、本実施の形態における「設定情報」に対応する情報要素を新たに追加した場合の変更例を示している。図９において下線を引いた部分が新たに追加される情報要素である。また、図１０Ａ及び図１０Ｂは、図９で追加される情報要素について、更に詳細な情報要素を示している。図１０Ａ及び図１０Ｂの情報要素は、図８Ａ及び図８Ｂと同一であるため説明は省略する。
【００５４】
（第二の実施の形態）
第二の実施の形態では、「設定情報」を予めユーザ装置ＵＥ内に保持しておき、ユーザ装置ＵＥは、自身が保持している「設定情報」に従って動作するようにする。「設定情報」は、ＳＩＭ等を用いてユーザ装置ＵＥに事前設定「Ｐｒｅ−ｃｏｎｆｉｇｕｒｅ」されるようにしてもよい。また、「設定情報」に相当する情報が、ユーザ装置ＵＥ自身を動作させるプログラム等に予め組み込まれていてもよい。その他、特に言及しない点は第一の実施の形態と同一であるため説明は省略する。
【００５５】
第二の実施の形態は、第一の実施の形態と比較して、基地局ｅＮＢからユーザ装置ＵＥに対するシグナリングメッセージの量を削減することができる。
【００５６】
（各実施の形態における補足事項）
各実施の形態では、ＣＡ中のユーザ装置ＵＥが束ねているＣＣの数に応じて、「設定情報」の適用要否を切替えるようにしてもよい。例えば、束ねているＣＣ数が所定の数未満である場合は従来の測定条件が適用され、所定の数以上である場合は、第一の実施の形態及び第二の実施の形態による測定条件が適用されるようにしてもよい。当該所定の数は、標準仕様等で予め規定されていてもよいし、「設定情報」に含まれていてもよいし、個別のＲＲＣメッセージ及び／又は報知情報を用いてユーザ装置ＵＥに設定されるようにしてもよい。
【００５７】
各実施の形態では、ユーザ装置ＵＥは、自身の移動速度を、例えば自身が搭載された自動車等の車速センサ等から取得するようにしてもよいし、自身が備えるＧＰＳ等の位置情報を用いて測定するようにしてもよい。また、ユーザ装置ＵＥは、所定のセルで基地局ｅＮＢから送信される電波を用いてドップラーシフト量（fd）を測定又は推定し、当該ドップラーシフト量と当該所定のセルの周波数とを用いて、自身の移動速度を算出するようにしてもよい。当該所定のセルは、ＰＣｅｌｌでもよいし、ＳＣｅｌｌでもよいし、ＰＣｅｌｌ又はＳＣｅｌｌと同一周波数の他のセルでもよいし、ＰＣｅｌｌ及びＳＣｅｌｌとは異なる周波数のセルでもよい。また、これに限られず、ユーザ装置ＵＥは、他の方法を用いて移動速度を測定するようにしてもよい。
【００５８】
各実施の形態における受信品質の測定について、ＲＳＲＰ／ＲＳＲＱの測定に加えて、又はこれに代えて、ＳＩＮＲ（ＲＳ−ＳＩＮＲ）の測定が含まれてもよい。ＳＩＮＲ（ＲＳ−ＳＩＮＲ）の測定が含まれる場合、受信品質の測定に係る測定条件は、ＲＳＲＰ／ＲＳＲＱ／ＳＩＮＲ（ＲＳ−ＳＩＮＲ）の測定に許容される時間を意味する。
【００５９】
なお、ＳＩＮＲ（ＲＳ−ＳＩＮＲ）の測定とは、ＰＤＣＣＨ（Physical Downlink Control Channel）又は／及びＰＤＳＣＨ（Physical Downlink Shared Channel）に含まれるＲＳ（Reference Signal）のＳＩＮＲを測定することを言う。また、ＳＩＮＲの測定対象であるＲＳには、ＣＲＳ（Cell specific Reference Signal）又は／及びＣＳＩ‐ＲＳ（Channel State Information-Reference Signal）が含まれる。
【００６０】
＜機能構成＞
次に、これまでの説明した処理を実行可能なユーザ装置ＵＥと基地局ｅＮＢにおける機能構成を説明する。
【００６１】
（基地局）
図１１は、本実施の形態に係る基地局の機能構成例を示す図である。図１１に示すように、基地局ｅＮＢは、信号送信部１０１、信号受信部１０２、生成部１０３を含む。図１１は、基地局ｅＮＢにおける主要な機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分及び機能部の名称はどのようなものでもよい。また、第一の実施の形態を実行するために必要な機能又は第二の実施の形態を実行するために必要な機能のみを有していてもよい。当該基地局ｅＮＢは、単独の基地局ｅＮＢでもよいし、設定（Configuration）により、ＤＣを実行する際にはＭｅＮＢとＳｅＮＢのいずれにもなり得る。
【００６２】
信号送信部１０１は、基地局ｅＮＢから送信されるべき上位のレイヤの信号から、物理レイヤの各種信号を生成し、無線送信する機能を含む。信号受信部１０２は、各ユーザ装置ＵＥから各種の信号を無線受信し、受信した物理レイヤの信号からより上位のレイヤの信号を取得する機能を含む。信号送信部１０１及び信号受信部１０２はそれぞれ、複数のＣＣを束ねて通信を行うＣＡを実行する機能を含む。また、信号送信部１０１及び信号受信部１０２は、ＲＲＥのように、基地局ｅＮＢの本体（制御部）から遠隔に設置された無線通信部を含んでもよい。
【００６３】
信号送信部１０１及び信号受信部１０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００６４】
生成部１０３は、「設定情報」を生成し、生成した設定情報をＲＲＣメッセージ又は報知情報によりユーザ装置ＵＥに送信するように信号送信部１０１に指示する。
【００６５】
（ユーザ装置）
図１２は、本実施の形態に係るユーザ装置の機能構成例を示す図である。図１２に示すように、ユーザ装置ＵＥは、信号送信部２０１、信号受信部２０２、設定情報取得部２０３と、受信品質測定部２０４と、移動速度測定部２０５とを含む。図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分及び機能部の名称はどのようなものでもよい。また、第一の実施の形態を実行するために必要な機能又は第二の実施の形態を実行するために必要な機能のみを有していてもよい。
【００６６】
信号送信部２０１は、ユーザ装置ＵＥから送信されるべき上位のレイヤの信号から、物理レイヤの各種信号を生成し、無線送信する機能を含む。信号受信部２０２は、基地局ｅＮＢから各種の信号を無線受信し、受信した物理レイヤの信号からより上位のレイヤの信号を取得する機能を含む。信号送信部２０１及び信号受信部２０２はそれぞれ、複数のＣＣを束ねて通信を行うＣＡを実行する機能を含む。
【００６７】
信号送信部２０１及び信号受信部２０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００６８】
設定情報取得部２０３は、基地局ｅＮＢから送信される「設定情報」を取得し、メモリ等に格納する。
【００６９】
受信品質測定部２０４は、基地局ｅＮＢから送信される参照信号等を用いて、これらの信号の受信品質（ＲＳＲＰ／ＲＳＲＱ／ＳＩＮＲ（ＲＳ−ＳＩＮＲ）等）の測定を行う。また、基地局ｅＮＢから予め指定されているタイミングにより、品質測定結果報告（Measurement Report）を基地局ｅＮＢに送信する。
【００７０】
また、受信品質測定部２０４は、セル検出を行う際又はセルの受信品質の測定を行う際に許容される測定条件であってユーザ装置の移動速度に応じて定められる測定条件と、移動速度測定部２０５により測定された自身の移動速度とに基づいて、自身の移動速度に該当する測定条件に従ってセル検出又は／及びセルの受信品質の測定を行う。また、受信品質測定部２０４は、ユーザ装置の移動速度が変化した場合に、更新可能期間が経過してから測定条件の変更を行うようにしてもよい。
【００７１】
移動速度測定部２０５は、ユーザ装置ＵＥ自身の移動速度を測定する。移動速度測定部２０５は、外部から移動速度を取得するようにしてもよいし、ＧＰＳ等を用いて移動速度を測定するようにしてもよいし、ドップラーシフト量に基づいて移動速度を算出するようにしてもよい。また、移動速度測定部２０５は、ユーザ装置自身の移動速度を移動速度判定時間内で測定するようにしてもよい。
【００７２】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００７３】
（基地局）
図１３は、本実施の形態に係る基地局のハードウェア構成例を示す図である。図１３は、図１１よりも実装例に近い構成を示している。図１３に示すように、基地局ｅＮＢは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ネットワークと接続するためのインタフェースである通信ＩＦ３０４とを有する。
【００７４】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図１１に示す信号送信部１０１及び信号受信部１０２の一部を含む。
【００７５】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１１に示す信号送信部１０１の一部及び信号受信部１０２の一部を含む。
【００７６】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図１１に示す信号送信部１０１の一部、信号受信部１０２の一部及び生成部１０３を含む。
【００７７】
（ユーザ装置）
図１４は、本実施の形態に係るユーザ装置のハードウェア構成例を示す図である。図１４は、図１２よりも実装例に近い構成を示している。図１４に示すように、ユーザ装置ＵＥは、無線信号に関する処理を行うＲＥモジュール４０１と、ベースバンド信号処理を行うＢＢ処理モジュール４０２と、上位レイヤ等の処理を行う装置制御モジュール４０３と、ＳＩＭカードにアクセスするインタフェースであるＳＩＭスロット４０４とを有する。
【００７８】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図１２に示す信号送信部２０１及び信号受信部２０２の一部を含む。
【００７９】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１２に示す信号送信部２０１の一部、信号受信部２０２の一部、及び受信品質測定部２０４の一部を含む。
【００８０】
装置制御モジュール４０３は、ＩＰレイヤのプロトコル処理、各種アプリケーションの処理等を行う。プロセッサ４１３は、装置制御モジュール４０３が行う処理を行うプロセッサである。メモリ４２３は、プロセッサ４１３のワークエリアとして使用される。また、プロセッサ４１３は、ＳＩＭスロット４０４を介してＳＩＭとの間でデータの読出し及び書込みを行う。装置制御モジュール４０３は、例えば、図１２に示す信号送信部２０１の一部、信号受信部２０２の一部、設定情報取得部２０３、受信品質測定部２０４の一部及び移動速度測定部２０５を含む。
【００８１】
＜まとめ＞
以上、各実施の形態によれば、無線通信システムにおけるユーザ装置であって、当該ユーザ装置の移動速度を測定する速度測定部と、セル検出を行う際又はセルの受信品質の測定を行う際に許容される測定条件であってユーザ装置の移動速度に応じて定められる測定条件と、前記速度測定部により測定された当該ユーザ装置の移動速度とに基づいて、測定された当該ユーザ装置の移動速度に該当する測定条件に従ってセル検出又はセルの受信品質の測定を行う品質測定部と、を有するユーザ装置が提供される。このユーザ装置ＵＥにより、ユーザ装置ＵＥの移動速度に応じて、セル検出及び受信品質測定の測定条件を変更することを可能にする技術が提供される。
【００８２】
また、前記速度測定部は、当該ユーザ装置の移動速度を移動速度判定時間内で測定し、前記品質測定部は、当該ユーザ装置の移動速度が変化した場合に、更新可能期間が経過してから測定条件の変更を行うようにしてもよい。これにより、ユーザ装置ＵＥの移動速度の変動が大きい場合に、測定条件が短時間の間に頻繁に変更されてしまう可能性を抑止できる。
【００８３】
また、前記測定条件と前記移動速度判定時間と前記更新可能期間とを含む設定情報を、基地局から取得する取得部を有するようにしてもよい。これにより、基地局ｅＮＢは、ユーザ装置ＵＥに対して測定条件を指示することができ、ユーザ装置ＵＥの動作を様々に制御することが可能になる。
【００８４】
また、前記測定条件は、測定対象であるセルの周波数ごとに規定されているようにしてもよい。これにより、本実施の形態では、周波数ごとに測定条件を変更することができる。
【００８５】
また、前記測定条件は、キャリアアグリゲーションにおける、アクティブ状態であるセカンダリセルに対して適用されるようにしてもよい。これにより、ユーザ装置ＵＥは、アクティブ状態であるＳＣｅｌｌのみに対して測定条件を適宜変更するといった動作を実現することができる。また、ユーザ装置ＵＥの移動速度が低速である場合に、測定条件が緩和されるように設定しておくことで、ユーザ装置ＵＥの消費電力を削減することができる。
【００８６】
また、各実施の形態によれば、無線通信システムにおける基地局であって、セル検出を行う際又はセルの受信品質の測定を行う際に許容される測定条件であってユーザ装置の移動速度に応じて定められる測定条件を含む設定情報を生成する生成部と、前記設定情報をユーザ装置に送信する送信部と、を有する基地局が提供される。この基地局ｅＮＢにより、ユーザ装置ＵＥの移動速度に応じて、セル検出及び受信品質測定の測定条件を変更することを可能にする技術が提供される。
【００８７】
また、各実施の形態によれば、無線通信システムにおけるユーザ装置が実行する測定方法であって、当該ユーザ装置の移動速度を測定するステップと、セル検出を行う際又はセルの受信品質の測定を行う際に許容される測定条件であってユーザ装置の移動速度に応じて定められる測定条件と、測定された当該ユーザ装置の移動速度とに基づいて、測定された当該ユーザ装置の移動速度に該当する測定条件に従ってセル検出又はセルの受信品質の測定を行うステップと、を有する測定方法が提供される。この測定方法により、ユーザ装置ＵＥの移動速度に応じて、セル検出及び受信品質測定の測定条件を変更することを可能にする技術が提供される。
【００８８】
また、各実施の形態によれば、無線通信システムにおける基地局が実行する測定条件通知方法であって、セル検出を行う際又はセルの受信品質の測定を行う際に許容される測定条件であってユーザ装置の移動速度に応じて定められる測定条件を含む設定情報を生成するステップと、
前記設定情報をユーザ装置に送信するステップと、を有する測定条件通知方法が提供される。この測定条件通知方法により、ユーザ装置ＵＥの移動速度に応じて、セル検出及び受信品質測定の測定条件を変更することを可能にする技術が提供される。
【００８９】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９０】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９１】
なお、各実施の形態において、移動速度測定部２０５は、速度測定部の一例である。受信品質測定部２０４は、品質測定部の一例である。設定情報取得部２０３は、取得部の一例である。
【００９２】
本特許出願は２０１５年１１月６日に出願した日本国特許出願第２０１５−２１８９８６号に基づきその優先権を主張するものであり、日本国特許出願第２０１５−２１８９８６号の全内容を本願に援用する。
【符号の説明】
【００９３】
ＵＥ  ユーザ装置
ｅＮＢ  基地局
１０１  信号送信部
１０２  信号受信部
１０３  生成部
２０１  信号送信部
２０２  信号受信部
２０３  設定情報取得部
２０４  受信品質測定部
３０１  ＲＥモジュール
３０２  ＢＢ処理モジュール
３０３  装置制御モジュール
３０４  通信ＩＦ
４０１  ＲＥモジュール
４０２  ＢＢ処理モジュール
４０３  装置制御モジュール
４０４  ＳＩＭスロット
【図１】
2017077820.tif 000003
【図２】
2017077820.tif 000004
【図３Ａ】
2017077820.tif 000005
【図３Ｂ】
2017077820.tif 000006
【図４】
2017077820.tif 000007
【図５】
2017077820.tif 000008
【図６】
2017077820.tif 000009
【図７】
2017077820.tif 000010
【図８Ａ】
2017077820.tif 000011
【図８Ｂ】
2017077820.tif 000012
【図９】
2017077820.tif 000013
【図１０Ａ】
2017077820.tif 000014
【図１０Ｂ】
2017077820.tif 000015
【図１１】
2017077820.tif 000016
【図１２】
2017077820.tif 000017
【図１３】
2017077820.tif 000018
【図１４】
2017077820.tif 000019
【国際調査報告】
2017077820.tif 000020
2017077820.tif 000021
2017077820.tif 000022
2017077820.tif 000023
2017077820.tif 000024
2017077820.tif 000025